(57)【要約】 【課題】本発明は室内だけでなく、ゴルフコースや練習場など場所を選ばずに簡単に使用でき、且つ目標物に向ってボールを正確に打ち出すことが出来ると共にゴルフのパターの練習や、アイアン及びウッド等のスイング時のアドレス及びスイングチェック用として練習することが可能となる打球用アドレス習得部材を提供することを目的とする。【解決手段】頭に装着するヘッドホルダー１と、該ヘッドホルダー１の連結部1aに一端を取付けた角度調整可能な角度調整杆２と、その角度調整杆２の他端に上端を回動自在に軸支された吊下棒３と、その吊下棒３の下端に直角に取付けられた長尺で細いターゲットガイド棒４と、該ターゲットガイド棒４にスライド可能な２つ以上のストロークガイド棒５と、吊下棒３の中間に一端を固定すると共にターゲットガイド棒４と平行に配置されたガイド棒６とから構成する。【選択図】図１
2006263040.tif 000002
【特許請求の範囲】
【請求項１】
頭に装着するヘッドホルダー（１）と、該ヘッドホルダー（１）の連結部（1a）に一端を取付けた角度調整可能な角度調整杆（２）と、その角度調整杆（２）の他端に上端を回動自在に軸支された吊下棒（３）と、その吊下棒（３）の下端に直角に取付けられて目の真下に配置可能で且つ長尺で細いターゲットガイド棒（４）と、該ターゲットガイド棒（４）にスライド可能であると共にそれと直角に取付けた２つ以上のストロークガイド棒（５）とから少なくとも構成したことを特徴とする打球用アドレス習得部材。
【請求項２】
頭に装着する帽子やバンダナ或いはヘアバンドのヘッドホルダー（１）に挟持して取付けるための取付部材（10）と、該取付部材（10）の連結部（10a）に、一端を取付けた角度調整可能な角度調整杆（２）と、その角度調整杆（２）の他端に上端を回動自在に軸支された吊下棒（３）と、その吊下棒（３）の下端に直角に取付けられて目の真下に配置可能で且つ長尺で細いターゲットガイド棒（４）と、該ターゲットガイド棒（４）にスライド可能であると共にそれと直角に取付けた２つ以上のストロークガイド棒（５）とから少なくとも構成したことを特徴とする打球用アドレス習得部材。
【請求項３】
前記吊下棒（３）の中間には、前記ターゲットガイド棒（４）と平行に配置されると共にその一端を固定する長尺で細いガイド棒（６）が具備された請求項１又は２記載の打球用アドレス習得部材。
【請求項４】
前記ターゲットガイド棒（４）の先端と前記ガイド棒（６）の先端が連結し一体化された請求項３記載の打球用アドレス習得部材。
【請求項５】
前記角度調整杆（２）の他端にスリ割（21b）を有した円筒状の軸受（21）が設けられ、該軸受（21）に前記吊下棒（３）の上端が回動自在に軸支されると共に固定も可能とする固定部材（８）を設け、該固定部材（８）が、前記軸受（21）の外形を広げるテーパー部（81a）を有するスライド可能なツマミ付き軸（81）と、該ツマミ付き軸（81）が常に外側に引張られる力を付与するためのバネ（82）と、そのバネ（82）を受ける平ワッシャ（83）とから成された請求項１又は２記載の打球用アドレス習得部材。
【請求項６】
前記ターゲットガイド棒（４）の他端側に、バランス用の錘（９）が具備された請求項１又は２記載の打球用アドレス習得部材。
【請求項７】
前記取付部材（10）がクリップであり、その端部には角度調整杆（２）の一端を取付けるための連結部（10a）が設けられた請求項２記載の打球用アドレス習得部材。
【発明の詳細な説明】
【技術分野】
【０００１】
本発明はゴルフボールやゲートボールなどのように停止するボールを打つ際に、目標物に向って正確に打ち出すための練習用具であり、特にはゴルフのパッティングに使用すると便利な打球用アドレス習得部材に関する。
【背景技術】
【０００２】
従来、ボールを打つ際に、目標物に向って正確に打ち出すための練習用具、例えばゴルフのパッティングに使用するゴルフ練習具としては、種々のゴルフ練習具が市販されている。特にはパットの理想的なスイングを習得するためのゴルフ練習具としては、目の位置がゴルフボールの真上に来るようにアドレスし、両足が目標線上と平行になるように立ち、パターのフェイス面が目標線と直角になるように合わせ、ヘッド部を真直ぐ後方に引いて、真直ぐ打ち出すための目安となる器具がある。このゴルフボールの真上に目の位置が来るようにアドレスすることがチェックできるものとしては、マットなどの上に２本の固定具を立設させ、その上部に糸を張ると共にマットの上に鏡を配置させたものがある。このチェック方法は、上から見て鏡に写った糸の線と、実際の糸の線が１本に見える位置を探すことにより、目の位置が、真上に来たことを確認できるものがあった。またヘッド部を真直ぐ後方に引いて、真直ぐ打ち出すことがチェックできるものとしては、特開２００１−５４６０６が提案されている。この構造はマットなどに載置する２本の棒が所定幅で平行に配置され、該２本の棒の端部が立上がると共に内側に縮められ、前記２本の棒の略中央に前記縮めた状態で他方に向って前記棒と略同じ長さに延長された上部の２本の棒が一体に成形されたものである。また特開２００１−５４６０６を用いる場合は、これをマットなどに載置すると共に上部の２本の棒を目標物に向けて配置する。その後、所定幅の２本棒の中央にゴルフボールを置き、上から見てゴルフボールが上部の２本の棒の中央に配置されているか確認した後、ヘッド部を上部の２本の棒の中央に沿って真直ぐ後方に引き、真直ぐ打ち出すものであった。
【０００３】
しかしながら、前記鏡と糸が使われて目の位置をチェックするものは固定式のものであるため、好きな場所で使用することができなかった。例えばゴルフコースなどに持込んで使用することはできなかった。更にヘッドアップのチェックもできなかった。一方、特開２００１−５４６０６は持運び可能であるが、目標物に向う線上に上部の２本の棒をその都度合わせて配置しなければならず手間の掛かるものであり、配置がずれると目標物からずれてしまい、正確に打ち出すことができなくなり、且つパターのフェイス面が目標物に向う線と直角になるように合わせることができないと共にヘッドアップのチェックができないなどの問題点があった。
【特許文献１】特開２００１−５４６０６公報
【発明の開示】
【発明が解決しようとする課題】
【０００４】
本発明は室内だけでなく、ゴルフコースや練習場など場所を選ばずに簡単に使用でき、且つ目標物に向ってボールを正確に打ち出すことが出来る打球用アドレス習得部材を提供することを目的とする。
【０００５】
本発明の他の目的は、ゴルフのパターの練習や、アイアン及びウッドのスイング時のアドレス及びスイングチェック用として練習することが可能となる打球用アドレス習得部材を提供するにある。
【課題を解決するための手段】
【０００６】
本発明は上記問題点に鑑み成されたものであり、つまり、頭に装着するヘッドホルダーと、該ヘッドホルダーの連結部に一端を取付けた角度調整可能な角度調整杆と、その角度調整杆の他端に上端を回動自在に軸支された吊下棒と、その吊下棒の下端に直角に取付けられたターゲットガイド棒と、該ターゲットガイド棒にスライド可能な２つ以上のストロークガイド棒とから少なくとも構成する。またクリップの端部に角度調整杆の一端を取付けるための連結部を有した取付部材を用意し、その連結部に角度調整杆の一端を取付けることにより、ヘッドホルダーに取付けられるものとしても良い。又、吊下棒の中間に長尺で細いガイド棒をターゲットガイド棒と平行に配置させるか、或いはターゲットガイド棒の先端とガイド棒の先端を連結し一体化させたものとしても良い。更に角度調整杆の他端にスリ割を有した円筒状の軸受が設けられ、該軸受に吊下棒の上端が回動自在に軸支されると共に固定も可能とする固定部材を設け、該固定部材が、軸受の外形を広げるテーパー部を有するスライド可能なツマミ付き軸と、該ツマミ付き軸が常に外側に引張られる力を付与するためのバネと、そのバネを受ける平ワッシャとから成されたものとしても良く、ターゲットガイド棒にバランス用の錘を具備させたものとしても良い。
【発明の効果】
【０００７】
請求項１のように頭に装着するヘッドホルダー（１）と、該ヘッドホルダー（１）の連結部（1a）に一端を取付けた角度調整可能な角度調整杆（２）と、その角度調整杆（２）の他端に上端を回動自在に軸支された吊下棒（３）と、その吊下棒（３）の下端に直角に取付けられて目の真下に配置可能で且つ長尺で細いターゲットガイド棒（４）と、該ターゲットガイド棒（４）にスライド可能であると共にそれと直角に取付けた２つ以上のストロークガイド棒（５）とから少なくとも構成することにより、本発明品を頭に取付ければ簡単に使用出来るため、室内だけでなく、ゴルフコースや練習場など何処でも持運びが簡単であると共に目標物に向ってボールを正確に打ち出すための練習が行え、且つ、ヘッドアップのチェックが可能となる。この結果、ゴルフパットの理想的なスイングを習得することが可能となる。しかもゴルフ以外の球技、例えばゲートボールの正確な打ち出し練習が行えるものとなる。
【０００８】
請求項２のように頭に装着するヘッドホルダー（１）に取付けるための取付部材（10）と、該取付部材（10）の連結部（10a）に、一端を取付けた角度調整可能な角度調整杆（２）と、その角度調整杆（２）の他端に上端を回動自在に軸支された吊下棒（３）と、その吊下棒（３）の下端に直角に取付けられて目の真下に配置可能で且つ長尺で細いターゲットガイド棒（４）と、該ターゲットガイド棒（４）にスライド可能であると共にそれと直角に取付けた２つ以上のストロークガイド棒（５）とから少なくとも構成することにより、請求項１と同様な効果が得られると共に、ヘッドホルダー（１）として、帽子或いはバンダナやヘアバンドなどを代用することが可能になるため、より持運びが便利なものとなる。
【０００９】
請求項３に示すように吊下棒（３）の中間に、ターゲットガイド棒（４）と平行に配置させると共にその一端を固定する長尺で細いガイド棒（６）を具備することにより、特に角度調整杆（２）の下端部の中心と目の位置が合致しないでずれている場合であっても、ガイド棒（６）がターゲットガイド棒（４）と一致した目の位置を確認すれば、そこがボールの真下になるため、ボールの真上に目の位置を正確に合わせ且つ目標物に向けて正確に合わせることが可能となる。
【００１０】
請求項４に示すようにターゲットガイド棒（４）の先端とガイド棒（６）の先端を連結し一体化することにより、長尺で細い部分が丈夫になり、曲がりにくくなると共に突出部がなくなるため、物に引掛ける恐れがないものとなる。
【００１１】
請求項５に示すように角度調整杆（２）の他端にスリ割（21b）を有した円筒状の軸受（21）が設けられ、該軸受（21）に吊下棒（３）の上端が回動自在に軸支されると共に固定も可能とする固定部材（８）を設け、該固定部材（８）が、軸受（21）の外形を広げるテーパー部（81a）を有するスライド可能なツマミ付き軸（81）と、該ツマミ付き軸（81）が常に外側に引張られる力を付与するためのバネ（82）と、そのバネ（82）を受ける平ワッシャ（83）とから成されることにより、ツマミ付き軸（81）を押圧すれば、テーパー部（81a）によって軸受（21）の外形が広げられて吊下棒（３）の円筒連結部（31）内に密着され、吊下棒（３）を固定することが可能となるため、特にアイアン及びウッドのスイング時のアドレス及びスイングチェック用として練習することが可能となる。
【００１２】
請求項６のようにターゲットガイド棒（４）の他端側に、バランス用の錘（９）を具備することにより、吊下棒（３）の左右のバランスがとれ、本発明品の触れが減少して安定するため、目の位置をボールの真下に合わせることが簡単となる。
【００１３】
請求項７のように取付部材（10）がクリップであり、その端部には、角度調整杆（２）の一端を取付けるための連結部（10a）が設けられることにより、本発明品を帽子やバンダナなどに簡単に取付け及び取外しが出来るものとなるため、必要に応じて気軽に使用出来るものとなる。
【発明を実施するための最良の形態】
【００１４】
図１、図２は本発明の実施形態を示す図であり、これについて説明する。（１）は頭に装着するヘッドホルダーであり、該ヘッドホルダー（１）には後述する角度調整杆（２）の上端を軸支するためのネジ穴付きの連結部（1a）が設けられている。尚、前記ヘッドホルダー（１）には市販されているヘッドホン用のものを改良して用いると良いが、頭に簡単に装着できるものであれば他のものでも良い。（２）はヘッドホルダー（１）の連結部（1a）に一端を取付けた角度調整可能な角度調整杆であり、該角度調整杆（２）の一端には挿入穴（2a）を穿設し、他端には穴（21a）を有すると共にスリ割（21b）を有した円筒状の軸受（21）が突設されている。また前記角度調整杆（２）の材質としては、軽金属や合成樹脂などを用いると良い。
【００１５】
（３）は長尺で細い吊下棒であり、該吊下棒（３）の上端には角度調整杆（２）の他端に軸支されるための円筒連結部（31）が設けられている。（４）は吊下棒（３）の下端に直角に取付けられて目の真下に配置可能で且つ長尺で細いターゲットガイド棒であり、該ターゲットガイド棒（４）は前記吊下棒（３）と樹脂製の接続具によって固定されている。（５）はターゲットガイド棒（４）にスライド可能であると共にそれと直角に取付けた２つのストロークガイド棒であり、該ストロークガイド棒（５）は円柱ブロックを介して取付けられている。尚、前記ストロークガイド棒（５）は２つ以上を取付けるが、特に偶数取付けるのが好ましく、偶数にすると、中心に必ず棒が来るため、打撃面の合わせが容易になる。（６）は吊下棒（３）の中間に具備された長尺で細いガイド棒であり、該ガイド棒（６）はターゲットガイド棒（４）と平行に配置されると共にその一端は前記吊下棒（３）と樹脂製の接続具によって固定されている。このガイド棒（６）は図５（ａ）のようにターゲットガイド棒（４）の先端とガイド棒（６）の先端を接続させて一体化したものとしても良く、また図５（ｂ）のようにターゲットガイド棒（４）とガイド棒（６）の長さを同じにして四角形状に一体化させたものとしても良い。尚、前記ガイド棒（６）は図５（ｃ）に示すように必ずしも必要ではない。又、前記吊下棒（３），ターゲットガイド棒（４），ストロークガイド棒（５），ガイド棒（６）としては、細くて曲がらない材質、例えばアルミニウム，ステンレス，合成樹脂などを用いると良いが、好ましくは、０．５ｍｍ〜１．０ｍｍのピアノ線を用い、目立つ色で塗装すると良い。
【００１６】
（７）は角度調整杆（２）を任意角度に固定するための締結部材であり、該締結部材（７）には、連結部（1a）のネジ穴に螺合させるツマミ付きネジ（71）と、ワッシャ（72）とがある（図２参照）。（８）は角度調整杆（２）の他端に吊下棒（３）の上端を回動自在に軸支すると共に固定も可能とする固定部材であり、該固定部材（８）には、図２に示す軸受（21）の外形を広げるテーパー部（81a）を中間部に有すると共に先端にネジ部（81b）を有するスライド可能なツマミ付き軸（81）と、該ツマミ付き軸（81）が常に外側に引張られる力を付与するためのバネ（82）と、そのバネ（82）を受ける平ワッシャ（83）と、ツマミ付き軸（81）のネジ部（81b）に螺合するナット（84）とがある（図２、図３参照）。尚、前記固定部材（８）は押されると前記吊下棒（３）を固定させるが、通常は前記吊下棒（３）が回動自在と成されている。またこの固定部材（８）の中心は、角度調整杆（２）の角度調整によって目の位置に合わせて使用される。（９）はストロークガイド棒（５）が取付けられたターゲットガイド棒（４）の他端側に具備されたバランス用の錘である。
【００１７】
図４は別発明の実施形態を示す図であり、これは前記実施形態と比べ、ヘッドホルダー（１）が図中ａのように帽子であり、図中ｂのようにバンダナ或いはヘアバンドである場合であり、且つヘッドホルダー（１）に挟持して取付けると共に角度調整杆（２）の一端を取付けるための取付部材（10）が用いられる。この取付部材（10）としてはクリップを用い、挟持部と反対側には角度調整杆（２）の一端を取付けるための連結部（10a）が設けられており、且つネジ穴が穿設されている。又、前記連結部（10a）は角度調整杆（２）が垂直に取付け出来るように取付部材（10）の上面と図中ａのように直角或いは図中ｂのように適宜角度に折曲されている。他の部品は同一である。
【００１８】
次に本発明品を取付ける場合について説明する。先ず始めにヘッドホルダー（１）を図６に示すように頭に取付ける。この時、固定部材（８）の中心が目の位置（目の高さ）に来るように角度調整杆（２）を回動させて合わせると共に締結部材（７）のツマミ付きネジ（71）を締付けて、角度調整杆（２）を仮固定させる。この時の角度調整杆（２）のずれチェックとしては、ガイド棒（６）とターゲットガイド棒（４）が重なっていても、頭の角度を若干変えると、ガイド棒（６）がターゲットガイド棒（４）からずれるようなら、角度調整杆（２）を回動させて目の位置を微調整し、頭の角度を若干変えてもガイド棒（６）がターゲットガイド棒（４）からずれないことを確認する。調整が完了したら前記ツマミ付きネジ（71）を締付けて、角度調整杆（２）を固定させる。又、この時には吊下棒（３）がスムーズに回動することも確認しておく。
【００１９】
次に図４に示す別発明品を取付ける場合は、予め取付部材（10）の連結部（10a）に角度調整杆（２）の上部を締結部材（７）で仮止めしておく。また角度調整杆（２）の筒部（21）に吊下棒（３）の円筒連結部（31）を差込むと共に角度調整杆（２）に固定部材（８）を取付けて吊下棒（３）を回動自在に吊下しておく。更に吊下棒（３）にはターゲットガイド棒（４），ストロークガイド棒（５），ガイド棒（６），錘（９）も一緒に予め取付けておく。先ずヘッドホルダー（１）である帽子を被るか、或いはバンダナやヘアバンドを頭に取付ける。そして帽子のひさし部分に、或いはバンダナやヘアバンドの一部に取付部材（10）を挟持して取付ける。そして上記要領で固定部材（８）の中心が目の位置に来るように角度調整杆（２）を回動させて固定すれば良い。
【００２０】
本発明品を図６に示すようにゴルフパターやゲートボールなどの練習用として使用する場合について説明する。先ずターゲットガイド棒（４）が図６（ａ）のようにゴルフボールの中心に来るように立つと共にそれが目標物に合わせて立つ位置を決める。次にストロークガイド棒（５）の調整を行う。この場合、アドレスし、ゴルフボールに焦点を合わせた際に、左右のストロークガイド棒（５）が３つに見える位置にスライドさせて調整する。すると、左右のストロークガイド棒（５）の左右の間隔が図６（ｂ）に示すようにボールの中心から左右の間隔が同じになる。尚、この時、２つのストロークガイド棒（５）は左右の目の視差によってずれを生じるため、始めは４つにずれて見え、中央が1本に重なって見える位置に調整すれば良い。これで本発明の調整は完了する。一度調節しておくと、次に練習する時はヘッドホルダー（１）の取付け位置を微調節するだけで、上記調整をしなくても良くなる。次にゴルフパターを打ち出す場合には、ターゲットガイド棒（４）がゴルフボールの中心で且つ目標物に向けられていると共にゴルフボールの真上に目が位置しているので、先ずゴルフパターの打撃面をストロークガイド棒（５）と平行に合わせるだけで、打撃面は打ち出し方向と直角にセットされる。この時、足の位置はターゲットガイド棒（４）と平行になるように立てば理想的なアドレスとなる。次にパターヘッドを振り子のようにゆっくりターゲットガイド棒（４）に沿うようにバックスイングし、ターゲットガイド棒（４）上に沿って打ち出す。この時、本発明品が動かないようにスイングすることが重要であり、フォアスイングではゴルフボールを視線だけで追うようにして、ヘッドがターゲットガイド棒（４）の先端を通過するまでは頭を動かさないようにする。この結果、ゴルフボールは目標物に向って真直ぐに打ち出され、方向性が良好となる。
【００２１】
この時、ヘッドアップのチェックが出来るが、このチェック方法としては、頭が動くと、本発明品全体も動くため、頭の動きのチェックが容易に行えるものとなる。また２つ以上のストロークガイド棒（５）の間隔を基準にすれば、ストローク幅の目安が出来るため、振り幅の調整も習得できるものとなる。従って、本発明品を頭に取付けてゴルフパターを打つと、目の位置がゴルフボールの真上に来るようにアドレスでき、両足が目標線上と平行になるように立つことができ、ゴルフパターの打撃面が目標線と直角になるように合わすことも簡単で、ヘッド部を真直ぐ後方に引いて、真直ぐ打ち出すことも可能となり、目標物に対する方向性もチェックでき、且つヘッドアップもチェックできるものとなるため、パットの理想的なスイングを習得することが可能となるのである。
【００２２】
本発明品を図７に示すようにアイアンやドライバーの練習用として使用する場合について説明する。予め上記順序で本発明品を頭に取付けて調整が完了したものを用意しておく。この時、吊下棒（３）は回動自在である。先ず調整済みの本発明品を頭に取付ける。そしてアイアン或いはドライバーを握り、ゴルフボールの直ぐ後に打撃面を配置させて立つ位置を決める。この状態で固定部材（８）を軽く押し、且つターゲットガイド棒（４）がゴルフボールの中心に来るように吊下棒（３）を回動させて仮固定する。またガイド棒（６）がターゲットガイド棒（４）と重なり合ってゴルフボールの中心に来ていることを確認後、固定部材（８）を強く押すことにより、吊下棒（３）は固定される。更にターゲットガイド棒（４）を目標物に向けて合わせると共にアイアン或いはドライバーの打撃面をストロークガイド棒（５）と平行に合わせる。すると打撃面は打ち出し方向と直角にセットされる。その後、アイアン或いはドライバーをターゲットガイド棒（４）を目標にして打ち出せば、ゴルフボールは目標物に向って真直ぐに打ち出され、方向性が良好となる。このように本発明品を用いれば、飛球方向用のアドレスの目安やゴルフクラブの軌道上のチェックする際の目安となり、更にヘッドアップのチェックができるものとなる。尚、前記ストロークガイド棒（５）のストローク幅を目安にして、グリーン寄せの練習が行えるため、グリーン寄せの調整感覚も習得できるものとなる。また本発明品は頭に取付けるだけであり、従来の如く、下に置いてセットする必要がないため、例えばゴルフコースに於いても、本発明品は簡単に使用出来るものとなるのである。更に本発明品をアイアンやドライバーの打撃時に使用した後、グリーンでゴルフパターを打ち出す際には、固定部材（８）が図３に示す一点鎖線位置から実線位置まで引き戻されて吊下棒（３）を回動自在な状態にさせる。その後、ゴルフボールの中心にターゲットガイド棒（４）が来るように立つと共にカップ側の所定位置に向けて立つ。更に２つ以上のストロークガイド棒（５）の中央をゴルフボールの中心に合わせ、且つガイド棒（６）がターゲットガイド棒（４）と重なり合うようにすることにより、目の位置がゴルフボールの中心に来るのである。上記のゴルフパターの練習方法と同じ要領でスイングをすれば良い。
【産業上の利用可能性】
【００２３】
本発明はゴルフ以外の球技、例えばゲートボールの正確な打ち出し練習が行えるものとなる。
【図面の簡単な説明】
【００２４】
【図１】本発明の実施形態を示す斜視図である。
【図２】本実施形態の角度調整杆の下端に取付けた固定部材の構造を示す説明図である。
【図３】本実施形態の固定部材の構造を示す断面図である。
【図４】別発明の実施形態の一部を示す説明図である。
【図５】本実施形態のターゲットガイド棒とガイド棒及びターゲットガイド棒だけの取付け状態を示す説明図である。
【図６】本発明がゴルフのパッティングに使用される状態を示す説明図である。
【図７】本発明がゴルフのスイングに使用される状態を示す説明図である。
【符号の説明】
【００２５】
１  ヘッドホルダー
1a  連結部
２  角度調整杆
21  軸受
21b  スリ割
３  吊下棒
４  ターゲットガイド棒
５  ストロークガイド棒
６  ガイド棒
８  固定部材
81  ツマミ付き軸
81a  テーパー部
82   バネ
83  平ワッシャ
９  錘
10  取付部材
10a  連結部
【図１】
2006263040.tif 000003
【図２】
2006263040.tif 000004
【図３】
2006263040.tif 000005
【図４】
2006263040.tif 000006
【図５】
2006263040.tif 000007
【図６】
2006263040.tif 000008
【図７】
2006263040.tif 000009